(57)【要約】【課題】  本発明は、オイルフェンスの連結部の上側の倒れ込みにより、この連結部からの油の流出を抑え、油の拡散防止の効果を高めたオイルフェンスを提供することを目的とする。【解決手段】  本発明は、浮力体１３Ａ，１３Ｂを両側面に有し、横長の幕状のスカート部１１Ａ，１１Ｂが垂下されている複数のオイルフェンス本体１Ａ，１Ｂを、長手方向の端部同士で接続する連結部２Ａ，２Ｂよりなるオイルフェンスにおいて、前記オイルフェンスの連結部２Ａ，２Ｂを挟持するように、浮力構造体３を設けることを特徴とするオイルフェンスである。【選択図】  図１
2007077627.tif 000002
【特許請求の範囲】
【請求項１】
横長の幕状のスカート部が垂下され、両側面に浮力体を有している複数のオイルフェンス本体を、長手方向の端部同士で接続する連結部を備えたオイルフェンスにおいて、前記オイルフェンスの連結部を挟持するように、浮力構造体を設けることを特徴とするオイルフェンス。
【請求項２】
請求項１記載の浮力構造体として、オイルフェンスに設けている浮力体のスペア浮力体或いは廃棄オイルフェンスの浮力体を用いることを特徴とするオイルフェンス。
【請求項３】
請求項２記載のオイルフェンスにおいて、付加する浮力体の下方にバランスウエイトを設けることを特徴とするオイルフェンス。
【請求項４】
浮力体を両側面に有し、横長の幕状のスカート部が垂下されている複数のオイルフェンス本体を、長手方向の端部同士で接続する連結部に連結し使用するオイルフェンスの使用方法において、少なくとも浮力体間の接続した前記連結部を起立するように浮力を与えつつ結合することを特徴とするオイルフェンスの使用方法。
【発明の詳細な説明】
【技術分野】
【０００１】
本発明は、一般に、海や湖沼、または河川などで、特定の水域を取り囲むようにして水面に浮かべることにより、流出した油の拡散を防止するオイルフェンスに関するものである。
【背景技術】
【０００２】
従来のオイルフェンスは、例えば図４，５で示すように一つの長手方向の端部同士を接続するようにして、複数のオイルフェンス本体１Ａ，１Ｂを連結したものが一般に用いられている。
前記オイルフェンス本体１Ａ，１Ｂは、内部に独立気泡の発泡体や空気等を封入形成している浮力体１３Ａ，１３Ｂと、この浮力体１３Ａ，１３Ｂの下側に垂下し、下端部に例えば重錘用の鉛ロープ１５を設けている横長の幕状のスカート部１１Ａ，１１Ｂよりなる。そして、各オイルフェンス本体１Ａ，１Ｂ同士の接続は、接続用のファスナー２０やシャックル２１などが設けられている連結部２Ａ、２Ｂで接続されており、通常は全長約２０〜５０ｍに設定されている。
【０００３】
このように構成されている複数の前記オイルフェンス本体１Ａ，１Ｂを、前記ファスナー２０やシャックル２１同士を接続することにより順次連結し、必要な長さに延長した前記オイルフェンスは、海や湖または河川などで、特定の水域を取り囲むようにして水面に浮かべて設置され、流出した油の拡散を防止している。
【０００４】
しかしながら、このようなオイルフェンスを、水面に浮かべて設置すると、前記端部同士を接続するオイルフェンス本体１Ａ，１Ｂ同士の連結部２Ａ，２Ｂは、前記端部が一般的に可撓性を有しているため、上側が前後方向に倒れることにより曲がる場合がある。
従って、前記オイルフェンスの内側の水面の波が前記連結部２Ａ，２Ｂを越えやすくなったり、内側と外側との水面が流通したりすることにより、内側に漂流している油が前記連結部から前記オイルフェンスの外側へ流出し、漏油対策が不十分となる場合がある。
【０００５】
そこで、従来このような問題点を解消するために、前記連結部の上側の倒れ込みによる曲がりを防ぐことを目的として特許文献１に示す技術が提案されている。
【０００６】
【特許文献１】特開２００３−３０１４４４号公報
【発明の開示】
【発明が解決しようとする課題】
【０００７】
上記背景技術で述べたように、従来のオイルフェンスは、前記連結部の上側の倒れ込みによる曲がりを防ぐことにより、この連結部からの油の流出を抑えることが出来ない。また特許文献１の技術では、油の拡散防止の効果を高めることは可能ではある。しかし、この技術では、連結部の内部に芯材を設ける構成となっている。この接続部はファスナー等で接続する物であり、接続部巾は１８０ｍｍ程度であるのに対し、接続部の浮力体の間隔は５００ｍｍ程度もある。従って、接続部自体に応力が加わり、ある程度引っ張られた状態では十分に上部の倒れ込みを防止出来る。しかしながら、オイルフェンスを使用する場合には、海上では、船舶の座礁等、平穏な海面状態ばかりでなく、あれた状態の場合もある。
従って、オイルフェンスに波の力等が加わり、接続部が弛む状態等になる場合が生じる。かかる状態では、特許文献１に示す接続部では、浮力体間を直接接続する構成ではないことより、枠体を含む接続部が倒れる可能性がある。
本発明は、前記連結部の上側の倒れ込みにより、この連結部からの油の流出を抑え、油の拡散防止の効果を高めたオイルフェンスを提供することを目的とする。
【課題を解決するための手段】
【０００８】
請求項１記載の発明は、
横長の幕状のスカート部が垂下され、両側面に浮力体を有している複数のオイルフェンス本体を、長手方向の端部同士で接続する連結部を備えたオイルフェンスにおいて、前記オイルフェンスの連結部を挟持するように、浮力構造体を設けることを特徴とするオイルフェンスである。
請求項２記載の発明は、オイルフェンスに設けている浮力体のスペア浮力体或いは廃棄オイルフェンスの浮力体を用いることを特徴とするオイルフェンスである。
また請求項３記載のオイルフェンスにおいて、付加する浮力体の下方にバランスウエイトを設けることを特徴とするオイルフェンスである。
更に、請求項４記載の発明は、浮力体を両側面に有し、横長の幕状のスカート部が垂下されている複数のオイルフェンス本体を、長手方向の端部同士で接続する連結部に連結し使用するオイルフェンスの使用方法に於いて、少なくとも浮力体間の接続した前記連結部を起立するように浮力を与えつつ結合することを特徴とするオイルフェンスの使用方法である。
【発明の効果】
【０００９】
本発明の請求項１記載のオイルフェンス、及び４記載のオイルフェンス使用方法では、複数のオイルフェンス本体の長手方向の端部同士の連結部を挟持するように、浮力構造体を設ける構成であり、連結部が起立状態で浮力を受ける構成となり、従来のように連結部が倒れて、オイル等の流失を防止出来る。
また、本発明はオイルフェンスに浮力構造体を設ける構成であることより、従来使用しているオイルフェンスをそのまま使用することが出来る。
請求項２記載のオイルフェンスでは、補修用等のスペアの浮力体を使用することで簡単にオイルフェンス連結部上部が倒れることを防止出来る他、壊れたオイルフェンスの浮力体部分を廃棄せずに使用することが出来、資源の効率的使用を行うことが出来る。
更に、請求項３記載のオイルフェンスでは、浮力体の下方にバランスウエイトを設ける構成とすることで、再使用の浮力体の浮力の調整を行うことが出来、安定して連結部の倒れ込みを防止することが出来る。
【発明を実施するための最良の形態】
【００１０】
以下、本発明を実施するための最良の形態を図面に基づいて説明する。
図１は、本発明に係るオイルフェンスの第１の実施の形態の系統図の概略の斜視図、図２は、分解斜視図である。
本発明は、複数のオイルフェンス本体１Ａ，１Ｂを、長手方向の端部同士で接続する連結部の連結部２Ａ，２Ｂを挟持するように、浮力構造体３を設ける構成である。
【００１１】
＜オイルフェンス本体１Ａ，１Ｂ＞
オイルフェンス本体１Ａ，１Ｂは、従来のオイルフェンスと同様の構成よりなる。
即ち、オイルフェンス本体１Ａ，１Ｂは、垂下している横長の幕状のスカート部１１Ａ，１１Ｂと、スカート部１１Ａ，１１Ｂの上部側面に両側から挟持するようにボルトナット１２等適宜手段で固定している浮力体１３Ａ，１３Ｂと、スカート部１１Ａ，１１Ｂの上縁長手方向に設けている縫い込みロープ１４と、スカート部１１Ａ，１１Ｂの下縁長手方向に設けている重用の鉛ロープ１５と、各オイルフェンス本体１Ａ，１Ｂの両端部にそれぞれ設けている接続部２Ａ，２Ｂとを備えている。
スカート部１１Ａ，１１Ｂは、例えばナイロンターポリンを２枚重ねて矩形状に切断して使用する。また浮力体１３Ａ，１３Ｂは、発砲スチレン等適宜材料を内包して形成している。そして、縫い込みロープ１４と、重用の鉛ロープ１５はスカート部１１Ａ，１１Ｂから脱落しないように、縫製等適宜固定手段で固定されている。
【００１２】
＜連結部２Ａ，２Ｂ＞
連結部２Ａ，２Ｂは前記オイルフェンス本体１Ａ，１Ｂの両端部に設けられており、端部にファスナー２０、及びシャックル２１及びベルト２２を介し、隣接するオイルフェンス本体１Ａ，１Ｂ同士を連結固定している。
【００１３】
＜浮力構造体３＞
浮力構造体３は、第１の実施の形態としては、図１，２で示すように、浮力構造体本体３０と浮力部３１よりなる。
浮力構造体本体３０は、浮力部３１を前記オイルフェンス本体１Ａ，１Ｂの連結部２Ａ、２Ｂの表裏面の、浮力体１３Ａ，１３Ｂの間に取り付けることが出来れば良く、板状或いはオイルフェンス本体１Ａ，１Ｂと同様に幕形状であっても良い。図１，２においては、合成樹脂等の板状に形成している。
また浮力部３１はオイルフェンス本体１Ａ，１Ｂに設けている浮力体１３Ａ，１３Ｂと同様に発砲スチレン等適宜材料を内包する構成とし、大きさは垂直方向に、浮力体１３Ａ，１３Ｂと同様の断面形状に形成している。
このように構成し、図２に示すように、オイルフェンス本体１Ａ，１Ｂの両端部の連結部２Ａ，２Ｂを２個の浮力構造体本体３０で挟み込むように位置させ、ボルト３２、ナット３３等の適宜固定具で連結部２Ａ，２Ｂを挟持するように固定する。
このとき、浮力部３１は前記オイルフェンス本体１Ａ，１Ｂに設けている浮力体１３Ａ，１３Ｂと同じ位置となるように浮力構造体本体３０を固定することで、オイルフェンス上端が一定の高さとなる安定した使用状態とすることが出来る。
このように構成することで、オイルフェンスの浮力体１３Ａ，１３Ｂと同様の位置に浮力構造体３の浮力部３１が位置し、浮力構造体により挟持されているオイルフェンスの連結部２Ａ、２Ｂが起立状態となるように浮力が働くことになり、悪天候の場合であっても連結部から油等の流失を防止出来、オイルフェンスによる特定水域の閉鎖を完全に行うことが出来る。
【００１４】
図３は、第２の実施の形態の例を示している。
この例では、補修用等のスペア浮力体３４、または壊れたオイルフェンスの浮力体部分を廃棄せずに再使用するもので、この場合には、前記浮力構造体本体３０を特に設けずに、スペア浮力体３４を通常のオイルフェンス本体１Ａ，１Ｂのスカート部１１Ａ，１１Ｂに取り付けるボルトナット１２の固定機構をそのまま利用することが出来る。
なお、この補修用等のスペア浮力体３４は、図３に示すように、縦方向に使用するため、浮力がありすぎる可能性があるため、スペア浮力体３４の下方にバランスウエイト３５を設ける構成として、スペア浮力体３４による浮力の調整を行うことで、連結部の倒れ込みを防止することが出来る。
【産業上の利用可能性】
【００１５】
本発明のオイルフェンスは、海や湖沼または河川などで、特定の水域を取り囲むようにして水面に浮かべることにより、流出した油の拡散を防止し環境汚染を防止するオイルフェンスに利用することができる。
【図面の簡単な説明】
【００１６】
【図１】本発明に係る第１の実施の形態の概略の斜視図である。
【図２】本発明に係る第１の実施の形態の分解斜視図である。
【図３】本発明に係る第２の実施の形態の概略の斜視図である。
【図４】従来のオイルフェンスの正面図である。
【図５】図４のＡ−Ａ線拡大断面説明図である。
【符号の説明】
【００１７】
１Ａ，１Ｂ    オイルフェンス本体
１１Ａ，１１Ｂ    スカート部
１２          ボルトナット
１３Ａ，１３Ｂ    浮力体
１４          縫い込みロープ
１５          鉛ロープ１
２Ａ，２Ｂ    連結部
２０          ファスナー
２１          シャックル
２２          ベルト
３            浮力構造体
３０          浮力構造体本体
３１          浮力部
３２          ボルト
３３          ナット
３４          スペア浮力体
３５          バランスウエイト
【図１】
2007077627.tif 000003
【図２】
2007077627.tif 000004
【図３】
2007077627.tif 000005
【図４】
2007077627.tif 000006
【図５】
2007077627.tif 000007